(57)【要約】【課題】使い捨ておむつを使用するときに、効率的に使い捨ておむつを使用者に固定することができる使い捨ておむつ用ファスニングタブを提供する。【解決手段】テープ状の基材２と、基材２の一の面に配設される係止手段３とを備える使い捨ておむつ用ファスニングタブ１であって、基材２に、開口部４又は切れ込みが形成される使い捨ておむつ用ファスニングタブ１。基材２の少なくとも一部が伸縮性素材で形成されていることが好ましい。【選択図】図１
2006158632.tif 000002
【特許請求の範囲】
【請求項１】
テープ状の基材と、前記基材の一の面に配設される係止手段とを備える使い捨ておむつ用ファスニングタブであって、
前記基材に、開口部又は切れ込みが形成される使い捨ておむつ用ファスニングタブ。
【請求項２】
前記基材の少なくとも一部が伸縮性素材で形成されている請求項１に記載の使い捨ておむつ用ファスニングタブ。
【請求項３】
前記開口部の形状が、三角形、長方形、正方形、台形、円形、楕円形、トラック形、ハート形、又は三日月形である請求項１又は２に記載の使い捨ておむつ用ファスニングタブ。
【請求項４】
前記開口部の幅方向の長さが１０〜１００ｍｍである請求項１〜３のいずれかに記載の使い捨ておむつ用ファスニングタブ。
【請求項５】
シート状のパネル基材と、前記パネル基材の一の面に配設される係止手段とを備える使い捨ておむつ用サイドパネルであって、
前記パネル基材に、開口部又は切れ込みが形成される使い捨ておむつ用サイドパネル。
【請求項６】
前記基材の少なくとも一部が伸縮性素材で形成されている請求項５に記載の使い捨ておむつ用サイドパネル。
【請求項７】
前記開口部の形状が、三角形、長方形、正方形、台形、円形、楕円形、トラック形、ハート形、又は三日月形である請求項５又は６に記載の使い捨ておむつ用サイドパネル。
【請求項８】
前記開口部の幅方向の長さが１０〜３００ｍｍである請求項５〜７のいずれかに記載の使い捨ておむつ用サイドパネル。
【請求項９】
使い捨ておむつ本体と、前記使い捨ておむつ本体に配設される使い捨ておむつ用サイドパネルとを備える使い捨ておむつであって、
前記使い捨ておむつ用サイドパネルに配設される、請求項１〜４のいずれかに記載の使い捨ておむつ用ファスニングタブを更に備える使い捨ておむつ。
【請求項１０】
使い捨ておむつ本体と、前記使い捨ておむつ本体に配設される使い捨ておむつ用サイドパネルとを備える使い捨ておむつであって、
前記使い捨ておむつ用サイドパネルが、請求項５〜８のいずれかに記載の使い捨ておむつ用サイドパネルである使い捨ておむつ。
【発明の詳細な説明】
【技術分野】
【０００１】
本発明は、使い捨ておむつ用ファスニングタブ、使い捨ておむつ用サイドパネル及び使い捨ておむつに関し、更に詳しくは、使い捨ておむつを折りたたんだ状態から開いて使用者（被着者）に当て、固定して取り付けるときに、操作性が良く、効率的に使い捨ておむつを使用者に固定することができる使い捨ておむつ用ファスニングタブ、使い捨ておむつ用サイドパネル及び使い捨ておむつに関する。
【背景技術】
【０００２】
使い捨ておむつ（しばしば「紙おむつ」とも称される。）は、使用者と直接接触する液体透過性のトップシートと、排泄物を吸収保持する吸収体と、排泄物の漏れを防止する液体非透過性のバックシートとを積層した構造を有するおむつである。そしてこの使い捨ておむつは、使用者に対しておむつを確実に固定し、或いはおむつの締め具合を調節するために、何らかのファスニングシステムを備えているものが一般的である。
【０００３】
使い捨ておむつ用のファスニングシステムは、通常、固定のための係止手段を有するファスニングタブと呼ばれる固定具と、ランディングゾーンと呼ばれる、ファスニングタブの係止手段を止め付けるための部材とを組み合わせてなるものである。そして、ファスニングシステムには、係止手段として粘着テープを利用したテープファスニングシステム、或いはループとフックとを組み合わせてなるメカニカルファスニングシステム（いわゆる面状ファスナー）等、種々のファスニングシステムが提案されている。
【０００４】
図３１に示すおむつ１００はメカニカルファスニングシステムを備えた使い捨ておむつの一例であり、使用者の体に接触する側から見た図である。大別すると、使用者の腹部側を被包する前部パネル１０２ｂ及び臀部側を被包する後部パネル１０２ａの２つの構成部分からなる使い捨ておむつ本体１０２と、前部パネル１０２ｂ及び後部パネル１０２ａのそれぞれの両側端部（両サイド）に配設される使い捨ておむつ用サイドパネル（以下、「サイドパネル」ということがある）１０１とを備える。そして、後部パネル１０２ａの両サイドパネル１０１には係止手段１０３（フック状のメカニカルファスナー）を有するファスニングタブ１０４が配設され、前部パネル１０２ｂ上端近傍（使用者の体に接触しない側）にはファスニングタブ１０４の被接着体となるランディングゾーン１０５が配設されている。おむつ１００を使用する際には、おむつ１００で使用者を被包した後、係止手段１０３がおむつ１００の繊維に係合するようにおむつ１００側に折り曲げられたファスニングタブ１０４を展開し、ランディングゾーン１０５に止め付けることにより、使用者に対しておむつを固定することができる。
【０００５】
このような使い捨ておむつは、市販されているときには、おむつから横に飛び出したファスニングタブがおむつ側に折りたたまれ、更に、サイドパネルと共にファスニングタブが内側に折りたたまれた状態で包装される。このように折りたたまれて包装されたおむつを使用するときには、まずおむつを開き、ファスニングタブを指で摘んで引き出して被着者に装着する。このときに、ファスニングタブは、おむつ側に折りたたまれて貼り付いた状態のものを指で摘む必要があるため、摘み難く、作業者の操作性はよいものではなかった（例えば、特許文献１，２参照）。特に乳幼児が泣いている場合等には、可能な限り速やかにおむつを交換したいという意識が働くため、作業者に精神的な負担を強いることにもなる。
【０００６】
一方、ファスニングタブは、図３１に示すファスニングタブ１０４のように、１本のテープ状であると、被着者におむつを装着するときに腰回りについては適度にフィットさせることができるが、脚回りについてはうまくフィットさせることができないという問題があった。このフィット性を向上させるために、腰パネルと大腿パネルとを別個に具備するものが提案されている（例えば、特許文献３参照）。しかし、この方法では、フィット性の向上は期待できるものの、ファスニングタブが片側に２枚ずつ必要になるため、操作性が良好ではないという問題があった。
【特許文献１】特許第３２２２７９８号公報
【特許文献２】特許第３１１９４４３号公報
【特許文献３】実開平３−３３６２３号公報
【発明の開示】
【発明が解決しようとする課題】
【０００７】
本発明は、このような従来技術の有する問題点に鑑みてなされたものであり、その特徴は、使い捨ておむつを折りたたんだ状態から開いて使用者（被着者）に当て、固定して取り付けるときに、操作性が良く、効率的に使い捨ておむつを使用者に固定することができる使い捨ておむつ用ファスニングタブ、使い捨ておむつ用サイドパネル及び使い捨ておむつを提供することにある。
【課題を解決するための手段】
【０００８】
上記課題を解決するため、本発明によって以下の使い捨ておむつ用ファスニングタブ、使い捨ておむつ用サイドパネル及び使い捨ておむつが提供される。
【０００９】
［１］  テープ状の基材と、前記基材の一の面に配設される係止手段とを備える使い捨ておむつ用ファスニングタブであって、前記基材に、開口部又は切れ込みが形成される使い捨ておむつ用ファスニングタブ。
【００１０】
［２］  前記基材の少なくとも一部が伸縮性素材で形成されている［１］に記載の使い捨ておむつ用ファスニングタブ。
【００１１】
［３］  前記開口部の形状が、三角形、長方形、正方形、台形、円形、楕円形、トラック形、ハート形、又は三日月形である［１］又は［２］に記載の使い捨ておむつ用ファスニングタブ。
【００１２】
［４］  前記開口部の幅方向の長さが１０〜１００ｍｍである［１］〜［３］のいずれかに記載の使い捨ておむつ用ファスニングタブ。
【００１３】
［５］  シート状のパネル基材と、前記パネル基材の一の面に配設される係止手段とを備える使い捨ておむつ用サイドパネルであって、前記パネル基材に、開口部又は切れ込みが形成される使い捨ておむつ用サイドパネル。
【００１４】
［６］  前記基材の少なくとも一部が伸縮性素材で形成されている［５］に記載の使い捨ておむつ用サイドパネル。
【００１５】
［７］  前記開口部の形状が、三角形、長方形、正方形、台形、円形、楕円形、トラック形、ハート形、又は三日月形である［５］又は［６］に記載の使い捨ておむつ用サイドパネル。
【００１６】
［８］  前記開口部の幅方向の長さが１０〜３００ｍｍである［５］〜［７］のいずれかに記載の使い捨ておむつ用サイドパネル。
【００１７】
［９］  使い捨ておむつ本体と、前記使い捨ておむつ本体に配設される使い捨ておむつ用サイドパネルとを備える使い捨ておむつであって、前記使い捨ておむつ用サイドパネルに配設される、［１］〜［４］のいずれかに記載の使い捨ておむつ用ファスニングタブを更に備える使い捨ておむつ。
【００１８】
［１０］  使い捨ておむつ本体と、前記使い捨ておむつ本体に配設される使い捨ておむつ用サイドパネルとを備える使い捨ておむつであって、前記使い捨ておむつ用サイドパネルが、［５］〜［８］のいずれかに記載の使い捨ておむつ用サイドパネルである使い捨ておむつ。
【発明の効果】
【００１９】
本発明の使い捨ておむつ用ファスニングタブ（以下、単に「ファスニングタブ」ということがある。）によれば、基材に、開口部又は切れ込みが形成されるため、使い捨ておむつ（以下、単に「おむつ」ということがある。）のサイドパネルに配設されたファスニングタブを引き出すときに、その開口部（切れ込みを開くと開口部を形成することができる）に指を掛けてファスニングタブを引き出すことができる。そのため、ファスニングタブを容易に引き出すことができ、おむつを被着者に装着するときの操作性が良好なものとなる。また、ファスニングタブに上記開口部又は切れ込み（切れ込みは、おむつに装着されるときには開かれて開口部となる）が設けられているため、ファスニングタブを引っ張ったときに、ファスニングタブからおむつ（サイドパネル）にかかる力が２方向に分散され、腰回りだけでなく脚回りのフィット性も向上する。また、上記開口部又は切れ込みにより、固定時の視認性が向上する。
【発明を実施するための最良の形態】
【００２０】
次に本発明の実施の形態を図面を参照しながら詳細に説明するが、本発明は以下の実施の形態に限定されるものではなく、本発明の趣旨を逸脱しない範囲で、当業者の通常の知識に基づいて、適宜設計の変更、改良等が加えられることが理解されるべきである。
【００２１】
図１は、本発明の使い捨ておむつ用ファスニングタブの一の実施の形態を模式的に示した平面図である。
【００２２】
図１に示すように、本実施の形態のファスニングタブ１は、テープ状の基材２と、基材の一の面に配設される係止手段３とを有するものであり、基材２に、指を掛けることができる孔状の開口部４が形成されている。図１に示すファスニングタブ１において、矢印で示した方向ａを長さ方向ａ、矢印で示した方向ｂを幅方向ｂとする。図１に示すファスニングタブ１は、基材の長さ方向ａの一の端部（おむつ側端部）Ｅ側がおむつに取り付けられる。
【００２３】
このように本実施の形態のファスニングタブ１は、指を掛けることができる開口部４が形成されているため、ファスニングタブ１を引き出すときに開口部４に指を掛けて容易に引き出すことができ、操作性が良好である。
【００２４】
開口部４に指を掛けて引き出すときには、おむつ側端部Ｅの反対側の端部（先端部）Ｔ側に向かって引っ張ることになる。基材２には、開口部４が形成されていることにより、長さ方向ａに伸びる細い帯状部分１１が開口部４を挟んで並行に２本形成されている。そのため、開口部４に指を掛けて引き出しておむつを被着者に装着するときには、この２本の帯状部分１１を引っ張りながらおむつを被着者にフィットさせる状態になる。そのため、帯状部分の１本（腰に近い側の１本）により腰回りに力が加えられ、それにより腰回りのフィット性が向上し、帯状部分の他の１本（脚に近い側の１本）により脚回りに力が加えられ、それにより脚回りのフィット性が向上する。
【００２５】
また、ファスニングタブが係止されるランディングゾーンには、キャラクターなどのデザインや係止位置を示す数字あるいは縦線等が印刷されているが、従来のファスニングタブがランディングゾーンに係止されるとその印刷を覆ってしまうことになる。これに対し、本実施の形態のファスニングタブには開口部が設けてあるため、上記印刷を使用者が視認することができる。
【００２６】
本実施の形態のファスニングタブにおいては、基材の少なくとも一部が伸縮性素材で形成される伸縮部であることが好ましい。基材の少なくとも一部が伸縮性素材で形成されていると、係止手段によりおむつを使用者の体に取り付けるときに、適度に使用者の体を締め付けて、きつ過ぎることもなく、おむつが外れることもないようにすることができる。伸縮性素材としては、弾性的に伸縮可能なエラストマーフィルム、又はその積層体若しくは複合体を挙げることができる（例えば、特公平６−９４１８８号公報、米国特許第５，６９１，０３４号公報及び米国特許第５，５０１，６７９号公報参照）。また、伸縮性のシートや布帛を単独で、又は組み合わせて、伸縮材として使用することもできる。例えば、伸縮性のシートとして、エラストマーシート、例えば、天然ゴム、イソプレンゴム、１，２−ポリブタジエン、スチレン−ブタジエンゴム、クロロプレンゴム、ニトリルゴム、ブチルゴム、エチレン−プロピレンゴム、ウレタンゴム等のシートを使用することができる。また、各種の熱可塑性エラストマー、例えば、ウレタン系エラストマー、スチレン系エラストマー、オレフィン系エラストマー等のシートを使用することができる。また、伸縮性の布帛として、各種の繊維材料、例えば、織布、不織布等を使用することができる。繊維としては、例えば、ポリエチレン、ポリプロピレン、ポリエステルやポリアミド等の合成繊維や、コットン、レーヨン等の天然繊維を使用することができる。これらの伸縮材は、単独で使用してもよく、２種以上を組み合わせて、例えば、積層体等として使用してもよい。伸縮部は、通常、シート又はテープの形で用いることができ、また、その厚さは、広い範囲で変更することができるが、５０〜１０００μｍ程度が好ましい。
【００２７】
本実施の形態のファスニングタブの基材の形状は、図１に示すような長方形である必要はなく、基材の一の端部側が広がった台形（図４参照）、正方形、その他いずれの形状でもよい。
【００２８】
本実施の形態のファスニングタブにおいて、基材の大きさは特に限定されるものではなく、使用するおむつの大きさに合わせて適宜決定することができる。例えば、大人用おむつの大きさ（幅方向×長さ方向）は２５ｍｍ×２５ｍｍ〜１２０ｍｍ×１２０ｍｍであることが好ましく、子供（乳幼児）用おむつの場合には１５ｍｍ×１５ｍｍ〜１００ｍｍ×１００ｍｍであることが好ましい。また、帯状部分の幅が５ｍｍ以上であることが好ましい。
【００２９】
また、基材の材質としては、ポリプロピレン、ポリエチレン、ポリエチレンテレフタレート、ナイロン等の合成樹脂が好ましい。場合によっては各種繊維で構成された織布・不織布、紙等も利用できる。本実施の形態のファスニングタブの基材の材質が軟らかい場合には、補強材を配設してもよい（図１１参照）。補強材としては、プラスティックフィルム、不織布、織布等を使用することができる。
【００３０】
本実施の形態のファスニングタブにおいて、開口部の形状は特に限定されるものではなく、指を掛けてファスニングタブを引き出すことができればよい。例えば、三角形、長方形（図１参照）、正方形、台形（図４参照）、円形、楕円形（図１４参照）、トラック形、ハート形（図１３参照）、三日月形（図１５参照）等を挙げることができる。ここで、各形状は、その頂点部分が円弧状に丸く形成されているものも含む。例えば、図１に示すファスニングタブ１に形成された開口部４は、長方形であるが、その４つの頂点部分は、円弧状に丸く形成されている。開口部の大きさは特に限定されるものではなく、使用するおむつの大きさに合わせて適宜決定することができる。例えば、大人用おむつの大きさ（幅方向×長さ方向）は２０ｍｍ×２０ｍｍ〜１００ｍｍ×１００ｍｍであることが好ましく、子供（乳幼児）用おむつの場合には１０ｍｍ×１０ｍｍ〜８０ｍｍ×８０ｍｍであることが好ましい。
【００３１】
係止手段としては、メカニカルファスナー、粘着テープ等を使用できるが、メカニカルファスナーとすることが好ましい。メカニカルファスナーは、多数の微小突起を有するフックと、これと噛み合うループとの組み合わせによりファスニングを行うため、係止手段としてはフック若しくはループのいずれを形成してもよい。他方をランディングゾーンに形成することにより、ファスニングが可能となるからである。メカニカルファスナーとしては、通常使用されているものを使用することができる。例えば、フックを形成する場合には、微小突起の形状はＴ字型、マッシュルーム型、鉤型等とすることができ、その材質としては、ポリプロピレン、ポリエステル、ナイロン等を使用することができる。また、ループを形成する場合には、織布、不織布等を使用することができ、材質としては、ポリプロピレン、ポリエチレン、ポリエステル、ナイロン等を使用することができる。
【００３２】
係止手段の大きさは、ファスニングタブの大きさに合わせて適宜決定することができる。例えば、係止手段の大きさ（幅方向×長さ方向）は、大人用おむつに使用する場合には、５ｍｍ×５ｍｍ〜１２０ｍｍ×５０ｍｍが好ましい。子供用おむつに使用する場合には、５ｍｍ×５ｍｍ〜１００ｍｍ×４０ｍｍが好ましい。
【００３３】
本実施の形態のファスニングタブをおむつに取り付けるときには、ファスニングタブの係止手段が配設されている面が、おむつを使用者に取り付けるときに内側（使用者に接触する側）を向くように取り付ける。
【００３４】
図２は、本発明のファスニングタブの他の実施の形態を模式的に示す平面図である。図２に示すように、ファスニングタブ１は、孔状の開口部４が係止手段３と接触しない（重ならない）ように形成されてもよい。これは、開口部４と係止手段３との間に基材２があるため係止を解除するときに指が入り易く、ファスニングタブを容易に剥がすことができるからである。開口部４と係止手段３との間の基材部分は５ｍｍ以上あることが好ましい。
【００３５】
図３は、本発明のファスニングタブの更に他の実施の形態を模式的に示す平面図である。図３に示すように、本実施の形態のファスニングタブは、一の端部（おむつ側端部Ｅ）側から基材の一部を切り落とすように切り込まれて形成された開口部５が形成されている。開口部５は、おむつ側端部Ｅをその幅方向両端部分を残して（中央部分を）切り落とすように形成されている。開口部５により、基材２の平面形状は凹状に形成される。開口部５は、ファスニングタブ１をおむつ（サイドパネル）に配設したときに、ファスニングタブ１とおむつとにより孔状に形成され、孔状の開口部（例えば、図１においては、開口部４）が形成されたファスニングタブ１がおむつに配設された場合と同様の構造となり、同様の効果を示す。開口部５の形状及び大きさは、上述したファスニングタブに形成される孔状の開口部の場合と同様であることが好ましい。
【００３６】
図４〜図６は、本発明のファスニングタブの更に他の実施の形態を模式的に示す平面図である。図４及び図５に示すファスニングタブ１においては、いずれも台形の基材２に台形の孔状の開口部４が形成されている。図６に示すファスニングタブ１においては、台形の基材２に台形の開口部５が形成されている。図４〜図６に示すファスニングタブ１においては、係止手段３は、先端部Ｔ付近に基材２の先端を余らせた状態で配設されている。
【００３７】
図７〜図９は、本発明のファスニングタブの更に他の実施の形態を模式的に示す平面図である。図７及び図８に示すファスニングタブ１においては、いずれも台形の基材２に長方形の孔状の開口部４が形成されている。図９に示すファスニングタブ１においては、台形の基材２に長方形の開口部５が形成されている。図７〜図９に示すファスニングタブ１においては、係止手段３は、基材２の先端が余ることなく、先端部Ｔまで配設されている（係止手段３が先端部Ｔを形成している）。
【００３８】
図１０は、本発明のファスニングタブの更に他の実施の形態を模式的に示す平面図である。図１０に示すファスニングタブ１においては、基材２は、台形状のテープの上底部分に長方形のテープが繋がれた形状であり、その長方形部分に開口部４が形成されている。更に、台形部分に伸縮部１２が配設されている。このように、ファスニングタブ１の少なくとも一部に伸縮部１２を形成することにより、被着者に装着したときのフィット性が良好になる。
【００３９】
図１１は、本発明のファスニングタブの更に他の実施の形態を模式的に示す平面図である。図１１に示すファスニングタブ１においては、先端部Ｔに補強材１３が配設され、補強材１３に隣接して係止手段３が配設されている。このように、ファスニングタブ１の先端部分に補強材１３を配設すると、基材２が軟らかい場合でも、ファスニングタブ１を扱いやすく、操作性が向上する。補強材１３の材質としては、ポリプロピレン、ポリエチレン、ポリエチレンテレフタレート、ナイロン等を挙げることができる。
【００４０】
図１２は、本発明のファスニングタブの更に他の実施の形態を模式的に示す平面図である。図１２に示すファスニングタブ１においては、係止手段３が粘着テープである。尚、図１２に示す実施の形態以外の、図１〜図２５に示す本発明のファスニングタブの実施の形態においては、係止手段３はメカニカルファスナーである。
【００４１】
図１３〜図１５及び図１９〜図２１は、いずれも本発明のファスニングタブの更に他の実施の形態を模式的に示す平面図である。これらは、孔状の開口部４の形状を変化させた実施形態である。図１３に示すファスニングタブ１では開口部４の形状はハート形、図１４では開口部４の形状は円形に近い楕円形、図１５では開口部４の形状は三日月形、図１９では開口部４の形状は四角形、図２０では開口部４の形状は長径が短径の２倍程度ある楕円形、図２１では開口部４の形状は、長方形の一辺が内側に向かって円弧状に突き出した形状である。それぞれの形状の向きはいずれの向きであってもよい。
【００４２】
図１６〜図１８及び図２２〜図２４は、いずれも本発明のファスニングタブの更に他の実施の形態を模式的に示す平面図である。これらは、いずれも基材２の一部が伸縮部１２である。伸縮部１２は幅方向における両端部間に形成されている。そして、この伸縮部１２に開口部４が形成されている。開口部４の形状は、図１６〜図１８に示すファスニングタブ１は、図１３〜図１５に示すファスニングタブ１の場合と同様であり、図２２〜図２４に示すファスニングタブ１は、図１９〜図２１に示すファスニングタブ１の場合と同様である。
【００４３】
図２５は、本発明のファスニングタブの更に他の実施の形態を模式的に示し、図２５（ａ）は、基材に切れ込みを入れた状態を示す平面図であり、図２５（ｂ）は、基材に開口部を形成した状態を示す平面図である。本実施の形態のファスニングタブ１は、図２５（ａ）に示すように基材２に、開口部を形成させることが可能な切れ込み１４が形成されたものである。つまり、この切れ込み１４を開くことにより、図２５（ｂ）に示すように開口部５が形成されるのである。この場合、開口部５は三角形となる。本実施の形態のファスニングタブ１は、図２５（ｂ）に示すように切れ込みを開いて開口部５を形成した状態でおむつに配設される。
【００４４】
本実施の形態の使い捨ておむつ用ファスニングタブの製造方法としては、通常のメカニカルファスナーや粘着テープを係止手段とした使い捨ておむつ用ファスニングタブの製造方法とほぼ同様の方法で製造することができ、異なる点は、その工程において、所定形状の開口部又は切れ込みを形成させる点である。
【００４５】
例えば、係止手段としてメカニカルファスナーを使用する場合には、所定の材料によりテープ状の基材を作製し、ループ状又はフック状のメカニカルファスナーを配設し、その後に、カッター等により所定形状の開口部又は切れ込みを形成させることによりファスニングタブが製造される。
【００４６】
図２６は、本発明の使い捨ておむつ用サイドパネル（以下、単に「サイドパネル」ということがある。）をおむつ本体に配設した状態を模式的に示す平面図である。本実施の形態のサイドパネル２１は、シート状のパネル基材２２と、パネル基材２２の一の面に配設される係止手段２３とを有するものであり、パネル基材２２に、開口部２４が形成されている。パネル基材２２に形成される開口部２４は、人の指を掛けることができるものである。また、開口部２４は、パネル基材２２の一の端部側から基材２２の一部を切り落とすように切り込まれて形成されたものであってもよい（例えば、図３の開口部５のように形成されていてもよい）。この一の端部は、おむつ本体２５に取り付ける側の端部である。また、パネル基材２２には、開口部２４の代わりに切れ込みが形成されてもよい。この場合、パネル基材２２をおむつに装着するときに、切れ込みを開いて開口部を形成した状態で装着する。図２６に示す本実施の形態のサイドパネル２１は、おむつ本体２５の後部パネルに相当する部分に配設されており、そのおむつ本体２５には、更に前部パネルに相当する部分に通常のサイドパネル２１’が配設されている。本実施の形態のサイドパネルは、図２６において、サイドパネル２１と通常のサイドパネル２１’とが一体的に繋がった形状であってもよい。
【００４７】
このように、サイドパネルに指を掛けることができる開口部又は切れ込みを形成したため、ファスニングタブを引き出すときに開口部に指を掛けて容易に引き出すことができ、操作性が良好である。
【００４８】
本実施の形態のサイドパネルに形成される開口部は、上述した本発明のファスニングタブに形成される開口部と同様の形状であることが好ましい。例えば、開口部の形状が、三角形、長方形、正方形、台形、円形、楕円形、トラック形、ハート形、又は三日月形であることが好ましい。また、開口部の幅方向の長さが１０〜３００ｍｍであることが好ましい。図２６に示すように、サイドパネル２１の幅方向（幅方向ｂ）とは、サイドパネル２１のおむつ本体２５に配設される側の端部（辺）がおむつ本体２５に沿って伸びる方向である。
【００４９】
本実施の形態のサイドパネルを構成する基材は、少なくとも一部が伸縮性素材で形成されていることが好ましい。基材の少なくとも一部が伸縮性素材で形成されていると、係止手段によりおむつを使用者の体に取り付けるときに、適度に使用者の体を締め付けて、きつ過ぎることもなく、おむつが外れることもないようにすることができる。伸縮性素材の材質及び厚さは、上述した本発明のファスニングタブを構成する基材と同様の材質及び厚さであることが好ましい。本実施の形態のサイドパネルの基材の材質及び形状は、特に限定されるものではなく、通常使用するものを作製するおむつに合わせて適宜決定することができる。また、基材の大きさは、おむつの大きさに応じて適宜決定することができるが、大人用おむつの場合、１００ｍｍ×５０ｍｍ〜４００ｍｍ×２００ｍｍが好ましく、子供用おむつの場合、５０ｍｍ×２０ｍｍ〜２００ｍｍ×１００ｍｍが好ましい。
【００５０】
本実施の形態のサイドパネルを構成する係止手段としては、メカニカルファスナー又は粘着テープを使用することが好ましく、特にメカニカルファスナーが好ましい。本実施の形態において使用する係止手段の材質は、上述した本発明のファスニングタブを構成する係止手段と同様の材質であることが好ましい。また、サイドパネルに係止手段を配設するときの位置としては、サイドパネルの先端部に沿って配設してもよいし、先端部には基材を余らせて先端部付近に配設してもよい。
【００５１】
本実施の形態のサイドパネルの製造方法としては、通常のメカニカルファスナーや粘着テープが係止手段として配設されたサイドパネルの製造方法とほぼ同様の方法で製造することができ、異なる点は、その工程において、所定形状の開口部又は切れ込みを形成させる点である。
【００５２】
例えば、係止手段としてメカニカルファスナーを使用する場合には、所定の材料によりシート状の基材を作製し、ループ状又はフック状のメカニカルファスナーを配設し、その後に、カッター等により所定形状の開口部又は切れ込みを形成させることによりサイドパネルが製造される。
【００５３】
次に、本発明の使い捨ておむつの実施の形態について説明する。本実施の形態の使い捨ておむつは、通常使用される使い捨ておむつに、上述した本発明の使い捨ておむつ用ファスニングタブが配設されたものである。
【００５４】
図２７は、本発明の使い捨ておむつの一の実施の形態を模式的に示す平面図である。本実施の形態の使い捨ておむつは３０、使い捨ておむつ本体３６と、使い捨ておむつ本体３６に配設される使い捨ておむつ用サイドパネル３７とを備え、更に、上記本発明の使い捨ておむつ用ファスニングタブ３１が、使い捨ておむつ用サイドパネル３７に配設されてなるものである。
【００５５】
本実施の形態の使い捨ておむつ３０は、使用者と直接接触する液体透過性のトップシートと、排泄物を吸収保持する吸収体と、排泄物の漏れを防止する液体非透過性のバックシートとを積層した構造のおむつ本体３６を有するおむつである。そして、使用者に対して使い捨ておむつ３０を確実に固定し、或いは使い捨ておむつ３０の締め具合を調節するために、本発明の使い捨ておむつ用ファスニングタブ３１を備えている。
【００５６】
図２７に示すように、本実施の形態の使い捨ておむつを構成するおむつ本体３６は、使用者の腹部側を被包する前部パネル３６ｂと、臀部側を被包する後部パネル３６ａの２つの構成部分からなる。前部パネル３６ｂ及び後部パネル３６ａのそれぞれの両側端部はサイドパネル３７が配設されている。そして、後部パネル３６ａの両サイドパネル３７には、ファスニングタブ３１が配設され、前部パネル３６ｂの上端近傍（使用者の体に接触しない側）にはファスニングタブ３１の被接着体となるランディングゾーン３８が配置されている。ファスニングタブ３１の基材３２には、開口部３４が形成され、係止手段３３（フック状のメカニカルファスナー）が配設されている。サイドパネル３７は、前部パネル３６ｂ側と後部パネル３６ａ側の２つに分離している必要はなく、２つが一体的に繋がった構造であってもよい。
【００５７】
図２７に示すように、本実施の形態の使い捨ておむつ３０は、本発明の使い捨ておむつ用ファスニングタブ３１が、使い捨ておむつ３０のサイドパネル３７に配設されている。そのため、ファスニングタブ３１を引き出すときに、その開口部３４に指を掛けて引き出すことができる。それにより、ファスニングタブ３１を容易に引き出すことができ、おむつ３０を被着者に装着するときの操作性が良好なものとなる。また、ファスニングタブ３１に開口部３４が設けられているため、ファスニングタブ３１を引っ張ったときに、ファスニングタブからサイドパネル３７にかかる力が２方向に分散され、腰回りだけでなく脚回りのフィット性も向上する。また、開口部３４により、固定時の視認性が向上する。
【００５８】
本実施の形態の使い捨ておむつの、ファスニングタブを除いた部分（使い捨ておむつ本体とサイドパネル）は、オープン型の使い捨ておむつであれば特に限定されるものではなく、通常使用されているオープン型の使い捨ておむつを使用することができる。例えば、トップシートの材質としては、使い捨ておむつに通常使用されている液体透過性の材質を使用することができる。例えば、ポリプロピレン、ポリエチレン、ポリエステル等の合成繊維、天然繊維又はそれらの混紡品の、織布、不織布、又は微孔性シート等を使用することができる。トップシートの厚さは、使い捨ておむつの仕様等に応じて任意に決定することができるが、通常、５〜６０μｍ程度が好ましい。また、吸収体の材質としては、親水性繊維、高吸収性粒子、吸収性ゲル化材料等を使用することができる。親水性繊維としては、セルロース、レーヨン等が挙げられる。そして、バックシートの材質としては、使い捨ておむつに通常使用されている液体不透過性の材質を使用することができる。例えば、ポリエチレンフィルム、多孔質のポリエチレンフィルム等を使用することができる。バックシートの厚さは、使い捨ておむつの仕様等に応じて任意に決定することができるが、通常、５〜６０μｍ程度が好ましい。
【００５９】
本実施の形態の使い捨ておむつの製造方法は、特に限定されるものではなく、通常の使い捨ておむつの製造方法により使い捨ておむつ（使い捨ておむつ本体及びサイドパネル）を製造し、上記方法で製造した本発明の使い捨ておむつ用ファスニングタブを取り付ければよい。
【００６０】
使い捨ておむつにファスニングタブを取り付ける方法としては、接着剤で貼り付けたり、糸で縫いつけたり、また超音波で接着する等の種々の方法が挙げられる。また、ファスニングタブは、使い捨ておむつのサイドパネルの表面に貼り付けてもよいし、複数枚のシートを重ね合わせてサイドパネルが作製されている場合には、これらシートの間に挟み込んでもよい。
【００６１】
次に、本発明の使い捨ておむつの他の実施の形態について説明する。本実施の形態の使い捨ておむつは、通常使用される使い捨ておむつ本体に、上述した本発明の使い捨ておむつ用サイドパネルが配設されたものである。
【００６２】
図２８は、本発明の使い捨ておむつの他の実施の形態を模式的に示す平面図である。本実施の形態の使い捨ておむつ４０は、使い捨ておむつ本体４５と、使い捨ておむつ本体４５の両側端部に配設される上記本発明の使い捨ておむつ用サイドパネル４１とを備えてなるものである。サイドパネル４１は、シート状のパネル基材４２と、パネル基材４２の一の面に配設される係止手段４３とを有するものであり、パネル基材４２には開口部４４が形成されている。使い捨ておむつ本体４５は、後部パネル４５ａと前部パネル４５ｂとを備え、本発明のサイドパネル４１は、後部パネル４５ａに配設されており、前部パネル４５ｂには通常のサイドパネル４１’が配設されている。おむつ本体４５は、上述した、本発明の使い捨ておむつの一の実施の形態における使い捨ておむつ本体と同様の構成とすることが好ましい。
【００６３】
本実施の形態の使い捨ておむつ４０は、上述のように構成されるため、上述した、本発明の使い捨ておむつの一の実施の形態と同様の効果を得ることができる。
【００６４】
本実施の形態の使い捨ておむつの製造方法は、特に限定されるものではなく、通常の使い捨ておむつの製造方法により使い捨ておむつ本体を製造し、上記方法で製造した本発明のサイドパネルを通常の方法で取り付ければよい。
【実施例】
【００６５】
以下、本発明を実施例により具体的に説明するが、本発明はこれら実施例に限定されるものではない。
【００６６】
図２９に示す構造の使い捨ておむつを作製した。前部パネル５６ｂと後部パネル５６ａとを備えるおむつ本体５６の両サイドに通常の方法でサイドパネル５７を配設し、後部パネル５６ａ側に、長方形の基材５２にフック状のメカニカルファスナー（係止手段）５３を備え長方形の開口部５４を形成したファスニングタブ５１を通常の方法で配設した。子供用と大人用の２種類のおむつを作製した。
【００６７】
おむつ本体及びサイドパネルは、子供用としてＰ＆Ｇ社製、パンパース・コットンケア（商品名）・Ｌサイズを使用した。大人用として、Ｐ＆Ｇ社製、アテント（商品名）・Ｍサイズを使用した。
【００６８】
子供用おむつは、おむつ本体５６の長さＢを５００ｍｍ、サイドパネル５７を広げたときの長さＡを３２０ｍｍ、ファスニングタブ５１の長さＣを６０ｍｍ、ファスニングタブの幅Ｄを６０ｍｍとした。開口部３４の幅Ｅを表１に示すように変えた子供用おむつを３種類（実施例１〜３）作製した。
【００６９】
大人用おむつは、おむつ本体５６の長さＢを８５０ｍｍ、サイドパネル５７を広げたときの長さＡを６５０ｍｍ、ファスニングタブ５１の長さＣを８０ｍｍ、ファスニングタブの幅Ｄを１６０ｍｍとした。開口部５４の幅Ｅを表１に示すように変えた大人用おむつを２種類（実施例４，５）作製した。また、大人用おむつについては、ファスニングタブ５１ａの構造を、図３０に示すような、２本の帯状のファスニングタブを間隔を開けて配設する構造とした（比較例１）。図３０において、図２９に記載の符号と同一の符号は、図２９における場合と同じ要素を示す。ファスニングタブ５１ａは、長さＣを８０ｍｍ、幅Ｄ（帯１本分の幅）を３０ｍｍで、２本の帯間の間隔Ｆを１００ｍｍとした。
【００７０】
作製したおむつについて、「引き剥がし易さ」及び「係止し易さ」について試験を行った。
【００７１】
「引き剥がし易さ」は、ファスニングタブを係止手段がサイドパネルに貼り付くように折りたたみ、それを引き剥がすときの、剥がし易さを作業者の感覚で評価した。結果を表１に示す。表１において、「○」は簡単に引き剥がせることを示し、「△」は、引き剥がし難いが実使用上問題はないことを示し、「×」は引き剥がし難いことをそれぞれ示す。
【００７２】
「係止し易さ」は、おむつを被着者に装着するときの、ファスニングタブを前部パネル（ランディングゾーン）に貼る（固定する）作業のし易さを、作業者の感覚で評価した。結果を表１に示す。表１において、「○」は簡単に固定できることを示し、「△」は、固定し難いが実使用上問題はないことを示し、「×」は固定し難いことをそれぞれ示す。
【００７３】
【表１】
2006158632.tif 000003
【００７４】
表１より、開口部を形成したファスニングタブは、２本の帯を配設したファスニングタブより作業性が良好であることが分かる。
【産業上の利用可能性】
【００７５】
本発明の使い捨ておむつ用ファスニングタブ及び本発明のサイドパネルは、乳幼児用又は成人用の使い捨ておむつ用のファスニングタブ及びサイドパネルとして利用することができ、いずれも、操作性、フィット性及び視認性に優れた使い捨ておむつを得ることができる。本発明の使い捨ておむつは、乳幼児用又は成人用の使い捨ておむつとして利用することができ、操作性、フィット性及び視認性に優れた使い捨ておむつである。
【図面の簡単な説明】
【００７６】
【図１】本発明の使い捨ておむつ用ファスニングタブの一の実施の形態を模式的に示す平面図である。
【図２】本発明の使い捨ておむつ用ファスニングタブの他の実施の形態を模式的に示す平面図である。
【図３】本発明の使い捨ておむつ用ファスニングタブの更に他の実施の形態を模式的に示す平面図である。
【図４】本発明の使い捨ておむつ用ファスニングタブの更に他の実施の形態を模式的に示す平面図である。
【図５】本発明の使い捨ておむつ用ファスニングタブの更に他の実施の形態を模式的に示す平面図である。
【図６】本発明の使い捨ておむつ用ファスニングタブの更に他の実施の形態を模式的に示す平面図である。
【図７】本発明の使い捨ておむつ用ファスニングタブの更に他の実施の形態を模式的に示す平面図である。
【図８】本発明の使い捨ておむつ用ファスニングタブの更に他の実施の形態を模式的に示す平面図である。
【図９】本発明の使い捨ておむつ用ファスニングタブの更に他の実施の形態を模式的に示す平面図である。
【図１０】本発明の使い捨ておむつ用ファスニングタブの更に他の実施の形態を模式的に示す平面図である。
【図１１】本発明の使い捨ておむつ用ファスニングタブの更に他の実施の形態を模式的に示す平面図である。
【図１２】本発明の使い捨ておむつ用ファスニングタブの更に他の実施の形態を模式的に示す平面図である。
【図１３】本発明の使い捨ておむつ用ファスニングタブの更に他の実施の形態を模式的に示す平面図である。
【図１４】本発明の使い捨ておむつ用ファスニングタブの更に他の実施の形態を模式的に示す平面図である。
【図１５】本発明の使い捨ておむつ用ファスニングタブの更に他の実施の形態を模式的に示す平面図である。
【図１６】本発明の使い捨ておむつ用ファスニングタブの更に他の実施の形態を模式的に示す平面図である。
【図１７】本発明の使い捨ておむつ用ファスニングタブの更に他の実施の形態を模式的に示す平面図である。
【図１８】本発明の使い捨ておむつ用ファスニングタブの更に他の実施の形態を模式的に示す平面図である。
【図１９】本発明の使い捨ておむつ用ファスニングタブの更に他の実施の形態を模式的に示す平面図である。
【図２０】本発明の使い捨ておむつ用ファスニングタブの更に他の実施の形態を模式的に示す平面図である。
【図２１】本発明の使い捨ておむつ用ファスニングタブの更に他の実施の形態を模式的に示す平面図である。
【図２２】本発明の使い捨ておむつ用ファスニングタブの更に他の実施の形態を模式的に示す平面図である。
【図２３】本発明の使い捨ておむつ用ファスニングタブの更に他の実施の形態を模式的に示す平面図である。
【図２４】本発明の使い捨ておむつ用ファスニングタブの更に他の実施の形態を模式的に示す平面図である。
【図２５】本発明の使い捨ておむつ用ファスニングタブの更に他の実施の形態を模式的に示し、図２５（ａ）は、基材に切れ込みを入れた状態を示す平面図であり、図２５（ｂ）は、基材に開口部を形成した状態を示す平面図である。
【図２６】本発明の使い捨ておむつ用サイドパネルをおむつ本体に配設した状態を模式的に示す平面図である。
【図２７】本発明の使い捨ておむつの一の実施の形態を模式的に示す平面図である。
【図２８】本発明の使い捨ておむつの他の実施の形態を模式的に示す平面図である。
【図２９】本発明の使い捨ておむつの実施例を模式的に示す平面図である。
【図３０】使い捨ておむつの比較例を模式的に示す平面図である。
【図３１】従来の使い捨ておむつを模式的に示す平面図である。
【符号の説明】
【００７７】
１，３１，５１，５１ａ…ファスニングタブ、２，３２，５２…基材、３，３３，５３…係止手段、４，５，２４，３４，４４，５４…開口部、１１…帯状部分、１２…伸縮部、１３…補強材、１４…切れ込み、２１，２１’，３７，４１，４１’，５７…サイドパネル、２２，４２…パネル基材、２３，４３…係止手段、２５，３６，４５，５６…おむつ本体、３０，４０，５０…おむつ、３６ａ，４５ａ，５６ａ…後部パネル、３６ｂ，４５ｂ，５６ｂ…前部パネル、３８…ランディングゾーン、１００…おむつ、１０１…サイドパネル、１０２…おむつ本体、１０２ａ…後部パネル、１０２ｂ…前部パネル、１０３…係止手段、１０４…ファスニングタブ、１０５…ランディングゾーン、Ｅ…おむつ側端部、Ｔ…先端部、ａ…長さ方向、ｂ…幅方向、Ａ…サイドパネルを広げたときの長さ、Ｂ…おむつ本体の長さ、Ｃ…ファスニングタブの長さ、Ｄ…ファスニングタブの幅、Ｅ…開口部の幅、Ｆ…帯間の間隔。
【図１】
2006158632.tif 000004
【図２】
2006158632.tif 000005
【図３】
2006158632.tif 000006
【図４】
2006158632.tif 000007
【図５】
2006158632.tif 000008
【図６】
2006158632.tif 000009
【図７】
2006158632.tif 000010
【図８】
2006158632.tif 000011
【図９】
2006158632.tif 000012
【図１０】
2006158632.tif 000013
【図１１】
2006158632.tif 000014
【図１２】
2006158632.tif 000015
【図１３】
2006158632.tif 000016
【図１４】
2006158632.tif 000017
【図１５】
2006158632.tif 000018
【図１６】
2006158632.tif 000019
【図１７】
2006158632.tif 000020
【図１８】
2006158632.tif 000021
【図１９】
2006158632.tif 000022
【図２０】
2006158632.tif 000023
【図２１】
2006158632.tif 000024
【図２２】
2006158632.tif 000025
【図２３】
2006158632.tif 000026
【図２４】
2006158632.tif 000027
【図２５】
2006158632.tif 000028
【図２６】
2006158632.tif 000029
【図２７】
2006158632.tif 000030
【図２８】
2006158632.tif 000031
【図２９】
2006158632.tif 000032
【図３０】
2006158632.tif 000033
【図３１】
2006158632.tif 000034